(57)【要約】【課題】  浴槽やカウンター等の浴室設備品の洗い場に面する垂直面に凹部が形成されている浴室において、上記の垂直面を伝わり落ちる湯水が、凹部に浸入することを防止し、また湯水を左右方向にバランス良く流し短い経路で、確実、円滑、また迅速に排水処理できるようにする。【解決手段】  浴室設備品１の洗い場２に面した垂直面３に凹部４を形成する。凹部４の上側の垂直面３位置に、垂直面３を伝わり落ちる湯水が凹部４に浸入することを防止するための凸段差部７を横長状に形成する。この凸段差部７の上面７ａを、凹部４の左右方向の中心部に対応する位置７ｂを頂点にして左右方向へ湯水を導く下り傾斜面に形成する。【選択図】      図１
2008005969.tif 000002
【特許請求の範囲】
【請求項１】
浴室設備品の洗い場に面した垂直面に凹部が形成されている浴室であって、上記の凹部の上側の垂直面位置に、垂直面を伝わり落ちる湯水が凹部に浸入することを防止するための凸段差部が横長状に形成され、この凸段差部の上面が、凹部の左右方向の中心部に対応する位置を頂点にして左右方向へ湯水を導く下り傾斜面に形成されていることを特徴とする凹部の浸水防止機能付き浴室。
【請求項２】
請求項１記載の凹部の浸水防止機能付き浴室であって、浴室設備品が浴槽であり、垂直面がこの浴槽のエプロンであり、凸段差部がこのエプロンに形成されている凹部と浴槽のフランジ部との間の垂直面位置に形成されていることを特徴とする凹部の浸水防止機能付き浴室。
【請求項３】
請求項１記載の凹部の浸水防止機能付き浴室であって、浴室設備品が洗面器類を載置するためのカウンターであり、垂直面がこのカウンターの前垂れであり、凸段差部がこの前垂れに形成されている凹部とカウンターの上面との間の垂直面位置に形成されていることを特徴とする凹部の浸水防止機能付き浴室。
【請求項４】
請求項１乃至３の何れかに記載の凹部の浸水防止機能付き浴室であって、凹部の左右両側の前端縁に沿って湯水を洗い場に導く縦溝が形成され、凸段差部の左右端がこの縦溝に達していることを特徴とする凹部の浸水防止機能付き浴室。
【請求項５】
請求項１乃至３の何れかに記載の凹部の浸水防止機能付き浴室であって、凹部の左右両側の前端縁に沿って湯水を洗い場に導く突条が形成され、凸段差部の左右端がこの突条の外側面に連ねられていることを特徴とする凹部の浸水防止機能付き浴室。
【請求項６】
請求項１乃至５の何れかに記載の凹部の浸水防止機能付き浴室であって、凹部内の下面に、湯水を洗い場側に導く排水溝が形成されていることを特徴とする凹部の浸水防止機能付き浴室。
【発明の詳細な説明】
【技術分野】
【０００１】
本発明は、浴槽のエプロンやカウンターの前垂れに凹部が形成されている浴室に関し、更に詳しくは上記の凹部に、エプロンやカウンターの前垂れを伝わり落ちる湯水が浸入することを防止できるよう形成した、凹部の浸水防止機能付き浴室に関するものである。
【背景技術】
【０００２】
従来、浴室設備品としては、例えば蹴込み用の凹部がエプロンに形成されている浴槽や、洗い場の広がり感を得るため、エプロンに凹条が設けられているバスエプロンがある（例えば特許文献１、同２参照）。
また従来、シャンプー容器等の入浴用物品を収納したり、入浴者の膝を配置するための凹部が前垂れに形成されているカウンターを備えた浴室も知られている（例えば特許文献３の図５、図９参照）。
【０００３】
ところで、エプロンやカウンターの前垂れの垂直面を伝わり落ちる湯水が、エプロン等に形成されている凹部に浸入すると、凹部内に水垢がシミ状に付いて汚れ易くなる。またこの種の湯水の排水量が多いときは、軽量の入浴用物品は流されて洗い場に落下する、という問題が生じる。
また凹部内が濡れ易いと、例えばエプロンの凹部に膝をあてがって浴槽内を掃除するとき、ズボンの膝の部分を濡らすことになる。
従ってこの種の浴室にあっては、湯水が凹部に浸入することを防止でき、しかもエプロン等の垂直面を伝わり落ちる湯水を、左右方向にバランス良く、しかも短い経路で流して、確実、円滑、また迅速に洗い場に導くことができるよう形成されているのが望ましい。
【特許文献１】特開平１１−３３２７６７号公報
【特許文献２】実用新案登録第２５７４８０３号公報
【特許文献３】特許第３６０６０２８号公報
【発明の開示】
【発明が解決しようとする課題】
【０００４】
本発明は、このような従来の実情に鑑み、提案されたものである。
従って本発明の解決しようとする技術的課題は、浴槽やカウンター等の浴室設備品の洗い場に面する垂直面に凹部が形成されている浴室において、上記の垂直面を伝わり落ちる湯水が、凹部に浸入することを防止し、また湯水を左右方向にバランス良く流し短い経路で、確実、円滑、また迅速に排水処理できるよう形成した、凹部の浸水防止機能付き浴室を提供することにある。
【課題を解決するための手段】
【０００５】
本発明は、上記の課題を解決するため、次のような技術的手段を採る。
即ち本発明は、図１等に示されるように、浴室設備品１の洗い場２に面した垂直面３に凹部４が形成されている浴室であって、上記の凹部４の上側の垂直面３位置に、垂直面３を伝わり落ちる湯水が凹部４に浸入することを防止するための凸段差部７が横長状に形成され、この凸段差部７の上面７ａが、凹部４の左右方向の中心部に対応する位置７ｂを頂点にして左右方向へ湯水を導く下り傾斜面に形成されていることを特徴とする（請求項１）。
【０００６】
ここで、凹部４とは、掃除をする人や入浴者が膝６（図３参照）を入れたり、シャンプー容器等の入浴用物品１１（図６等参照）を収納するための凹み箇所を意味する。この凹部４は、通常、成型法で垂直面３に一体状に形成される。本発明の場合、垂直面３としては、後述するように、浴槽のエプロンや、カウンターの前垂れがあるが、その他、例えば浴室の側壁や、この側壁に設けられる収納パネルの前面等でも良い。また凸段差部７の上面７ａは、例えば正面視で上方に凸湾曲状に形成されるのでも良く、従ってここで、頂点とは、稜線状に形成される場合に限定されるものではない。
【０００７】
而して本発明は、浴室設備品１が浴槽であり、垂直面３がこの浴槽のエプロンであり、凸段差部７がこのエプロンに形成されている凹部４と浴槽のフランジ部８との間の垂直面３位置に形成されているのが好ましい（請求項２）。
なぜならこれによると、浴槽のエプロンを伝わり落ちる湯水が凹部４に浸入することを防止でき、エプロンに形成した凹部４の掃除を楽にでき、また例えばシャンプー容器等の収納用物品（図６等参照）が排水で流されて洗い場２に落下することを防止できるからである。またこれによると、凹部４内が濡れにくくなるため、浴槽内を掃除するとき、凹部４に膝６をあてがっても、ズボンの膝６の部分を濡らすことがないからである。
【０００８】
また本発明は、図６、図７に示されるように、浴室設備品１が洗面器類を載置するためのカウンターであり、垂直面３がこのカウンターの前垂れであり、凸段差部７がこの前垂れに形成されている凹部４とカウンターの上面１０との間の垂直面３位置に形成されているのが好ましい（請求項３）。
なぜならこれによると、カウンターの上面１０から流れ落ちる湯水が、凹部４に浸入することを防止でき、凹部４の掃除が楽になり、入浴用物品１１が排水で流されて洗い場２に落下することを防止できるからである。ここで、洗面器類とは、通常、洗面器や手桶を意味するが、これには石鹸やシャンプー容器等も含まれる。
【０００９】
また本発明は、図１、図６に示されるように、凹部４の左右両側の前端縁に沿って湯水を洗い場２に導く縦溝９が形成され、凸段差部７の左右端７ｃがこの縦溝９に達しているのが好ましい（請求項４）。
なぜならこれによると、凸段差部７の左右端７ｃから流れ落ちる湯水を、縦溝９を経て確実且つ円滑に洗い場２に排水することができるからである。本発明の場合、凸段差部７の左右端７ｃは、縦溝９の上端に接続されるのでも、或いは図４に示されるように、縦溝９がカウンターの高さ方向（縦方向）の全長にわたって形成され、この縦溝９の途中に接続されているのでも良い。
【００１０】
また本発明は、図５、図７に示されるように、凹部４の左右両側の前端縁に沿って湯水を洗い場２に導く突条１２が形成され、凸段差部７の左右端７ｃがこの突条１２の外側面１２ａに連ねられているのでも良い（請求項５）。
なぜならこれによると、凸段差部７の左右端７ｃから流れ落ちる湯水を、突条１２の外側面１２ａに沿わせて洗い場２に確実且つ円滑に排水できるからである。本発明の場合、突条１２は、通常、成型法で凸段差部７と一体状に形成されるが、これに限定されるものではない。
【００１１】
また本発明は、図５、図６等に示されるように、凹部４内の下面に、湯水を洗い場２側に導く排水溝１３が形成されているのが好ましい（請求項６）。
なぜならこれによると、凹部４内に、例えば飛散して付着する水滴を、排水溝１３を介して洗い場２に円滑に排水でき、凹部４の内面に水垢が付着することを防止でき、乾燥を速めることができるからである。排水溝１３は、凹部４内の下面であれば、その形成位置、個数は任意である。
【発明の効果】
【００１２】
本発明は、このように凹部の上側の垂直面位置に、垂直面を伝わり落ちる湯水が凹部に浸入することを防止するための凸段差部が横長状に形成され、この凸段差部の上面が、凹部の左右方向の中心部に対応する位置を頂点にして左右方向へ湯水を導く下り傾斜面に形成されているものである。
従って本発明の場合は、垂直面を伝わり落ちる湯水が、凹部に浸入することを凸段差部で防止でき、また湯水を左右方向にバランス良く、短い経路で、確実、円滑、また迅速に流して洗い場に排水できる。
【発明を実施するための最良の形態】
【００１３】
以下、本発明を実施するための最良の形態を説明する。
本発明は、図１等に示されるように、浴室設備品１としての例えば浴槽の、洗い場２に面した垂直面３としてのエプロンに、凹部４が形成されている浴室である。凹部４は、この実施形態ではアームレスト５（図２参照）の凹み空間Ｓまで深く凹まれ、浴槽内を洗う際に、掃除をする人が膝６（図３参照）を深く差し入れて楽に行うことができるよう形成されている。また凹部４は、この実施形態ではエプロンの長手方向に沿って左右線対称状に長く、且つ成型法でエプロンに一体成型されている。
【００１４】
７は、垂直面３を伝わり落ちる湯水が凹部４に浸入することを防止するための凸段差部である。この凸段差部７は、上記の凹部４の上側の垂直面３位置、即ち凹部４と浴槽のフランジ部８との間の垂直面３位置に、横長状に形成されている。またこの凸段差部７の上面７ａは、凹部４の左右方向の中心部に対応する位置７ｂを頂点にして左右方向へ湯水を導く下り傾斜面に形成されている。
【００１５】
また９は、湯水を洗い場２に導く縦溝である。この縦溝９は、凹部４の左右両側の前端縁に沿って形成され、凸段差部７の左右端７ｃはこの縦溝９に達して接続されている。
【００１６】
次に本発明における湯水の流れを説明する。
エプロンを伝わり落ちる湯水は、図１等に矢示されるように、流れ落ちる位置が凸段差部７の頂点より、図面上、右側の場合は右側に、左側の場合は左側に、凸段差部７の上面７ａで導かれ、左右方向にバランス良く、且つ短い経路で迅速に流れる。そして湯水は、凸段差部７の左右端７ｃから縦溝９に流れ込み、縦溝９を伝わって洗い場２に排水される。
なおこの本発明では、凹部４が深く形成されている。従ってこれによると、浴槽内を掃除する人は、図３に示されるように、凹部４に膝６をあてがって身体を浴槽内に近づけて掃除することができる。
【００１７】
而して本発明は、図６、図７に示されるように、浴室設備品１が洗面器類を載置するためのカウンターで構成されているのでも良い。以下、この本発明の好適な一実施形態を図面に従って説明する。なお上例と同一箇所、同一部材については同一の符号を付し、詳しい説明は省略する。
【００１８】
この本発明は、垂直面３がカウンターの前垂れであり、凸段差部７がこの前垂れに形成されている凹部４とカウンターの上面１０との間の垂直面３位置に形成されている。凹部４は、この実施形態ではシャンプー容器等の入浴用物品１１を収納するためのものであり、成型法で前垂れに一体状に形成されている。
【００１９】
縦溝９は、図６に示されるように、凹部４の左右両側の前端縁に沿って、この実施形態では前垂れの高さ方向の全長にわたって形成されている。凸段差部７の左右端７ｃは、湯水を縦溝９に導くことができるよう、この縦溝９に達して接続されている。
【００２０】
次にこの本発明における湯水の流れを、図６等に従って説明する。
前垂れを伝わり落ちる湯水は、カウンターの上面１０から流れ落ちる位置が、凸段差部７の頂点より、図面上、右側の場合は右側に、左側の場合は左側に、凸段差部７の上面７ａで案内され、左右方向にバランス良く、且つ短い経路で迅速に流れる。そして湯水は、凸段差部７の左右端７ｃから縦溝９に流れ込み、縦溝９を流下して洗い場２に導かれ、排水される。
【００２１】
以上の処において、本発明は、図５、図７に示されるように、凹部４の左右両側の前端縁に沿って湯水を洗い場２に導く突条１２が形成され、凸段差部７の左右端７ｃがこの突条１２の外側面１２ａに連ねられて形成されているのでも良い。この場合、湯水は、凸段差部７の上面７ａから左右端７ｃを経て、突条１２の外側面１２ａを伝わり落ち、洗い場２に排水される。
【００２２】
また本発明は、図５、図６等に示されるように、凹部４内の下面に、湯水を洗い場２側に導く排水溝１３が形成されているのでも良い。排水溝１３は、この実施形態では凹部４内の下面の、左右方向の中央位置に、洗い場２側に向かって先広がり状に形成されている。凹部４内の下面は、この排水溝１３に向かって下り勾配に形成され、排水溝１３に湯水を集水可能に形成されている。なお本発明の場合、排水溝１３は、例えば左右方向に一定の間隔をあけて複数形成されているのでも良く、この実施形態の構造に限定されるものではない。
【図面の簡単な説明】
【００２３】
【図１】本発明の浴室の好適な一実施形態を示す要部斜視図である。
【図２】浴槽とエプロンの要部縦断面図である。
【図３】凹部の使用例を説明するための要部平面図である。
【図４】縦溝の他の実施形態を示す要部斜視図である。
【図５】突条の例を示す要部斜視図である。
【図６】本発明をカウンターに実現した例を示し、一部を切欠した要部正面図である。
【図７】突条の例を示す要部正面図である。
【符号の説明】
【００２４】
１      浴室設備品
２      洗い場
３      垂直面
４      凹部
７      凸段差部
７ａ    上面
７ｂ    凹部の左右方向の中心部に対応する位置
【図１】
2008005969.tif 000003
【図２】
2008005969.tif 000004
【図３】
2008005969.tif 000005
【図４】
2008005969.tif 000006
【図５】
2008005969.tif 000007
【図６】
2008005969.tif 000008
【図７】
2008005969.tif 000009
【手続補正書】
【提出日】平成18年6月29日(2006.6.29)
【手続補正１】
【補正対象書類名】図面
【補正対象項目名】図６
【補正方法】変更
【補正の内容】
【図６】
2008005969.tif 000010
【手続補正２】
【補正対象書類名】図面
【補正対象項目名】図７
【補正方法】変更
【補正の内容】
【図７】
2008005969.tif 000011